(57)【要約】【課題】    写真展において、展示したオリジナル写真がカメラ付きケータイ電話等により簡単に撮影され著作権が犯されるリスクが高くなっておりこれを軽減する事、及びサウザビーに代表される会場型オークションにおいて、誰でも何時でも何処からでも入札できないが、これをネットオークション端末を併設し解決する事を課題とする。【解決手段】    キャンバスにマット紙を裏打ちし、これにロゴ等をエンボスし、コピー撮影をしても、このロゴ等が浮き上がり無断使用が判明するが写真の観賞には弊害の発生しないよう紙を開発し、これに写真をプリントする事で解決する。    更に、ネットオークション端末を展示作品と共に併設し、これに現在価格入札ボタンを設け、オークション会場でも、何処でも何時でも入札できるよう設定し解決する。【選択図】図２
2007316816.tif 000002
【特許請求の範囲】
【請求項１】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真を展示する事を特徴とする「キャンバス写真とこれを油彩・水彩した作品をオークション販売するビジネスの方法」
【請求項２】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真を販売する事を特徴とする「キャンバス写真とこれを油彩・水彩した作品をオークション販売するビジネスの方法」
【請求項３】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真をオークション販売する事を特徴とする「キャンバス写真とこれを油彩・水彩した作品をオークション販売するビジネスの方法」
【請求項４】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真に、人工的に着色し展示する事を特徴とする「キャンバス写真とこれを油彩・水彩した作品をオークション販売するビジネスの方法」
【請求項５】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真に、人工的に着色し販売する事を特徴とする「キャンバス写真とこれを油彩・水彩した作品をオークション販売するビジネスの方法」
【請求項６】
写真、絵画、イラスト等のイメージをプリントする場合、キャンバス画材にプリントしても鑑賞に堪えられる様なキャンバス表面のテクスチャーを撰び、これにマット紙などの厚手の用紙を裏打ちしたプリント用紙（以下キャンバス写真用紙という）を制作し、この用紙にプリントした写真に、人工的に着色しオークション販売する事を特徴とする「キャンバス写真とこれを油彩・水彩した作品をオークション販売するビジネスの方法」
【請求項７】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器及びその表示装置（以下、ネットオークション端末という）」を、少なくとも１台以上展示作品それぞれに組み込み、その作品のデーターを常時表示し、展示販売する事を特徴とする「キャンバス写真とこれを油彩・水彩した作品をオークション販売するビジネスの方法」
【請求項８】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器を少なくとも１台以上展示場所付近に設置し、その表示装置のみを少なくとも１台以上展示作品それぞれに組み込み、その作品のデーターを常時表示し、展示販売する事を特徴とする「キャンバス写真とこれを油彩・水彩した作品をオークション販売するビジネスの方法」
【請求項９】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器を少なくとも１台以上展示場所付近に設置し、その表示部分を少なくとも１台以上展示作品に組み込まないで設置し、少なくとも一つ以上の作品のデーターを常時表示し、展示販売する事を特徴とする「キャンバス写真とこれを油彩・水彩した作品をオークション販売するビジネスの方法」
【請求項１０】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器及びその表示装置（以下、ネットオークション端末という）」を、少なくとも１台以上展示作品それぞれに組み込み、その作品のデーターを常時表示し、更に、鑑賞者が入札を希望すれば、新入札価格、入札者情報等入札データーを入力し送稿できる機能を少なくとも１台以上設備し、オークション販売する事を特徴とする「キャンバス写真とこれを油彩・水彩した作品をオークション販売するビジネスの方法」
【請求項１１】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器を少なくとも１台以上展示場所付近に設置し、その表示装置のみを少なくとも１台以上展示作品それぞれに組み込み、その作品のデーターを常時表示し、更に鑑賞者が入札を希望すれば、新入札価格、入札者情報等入札データーを入力し送稿できる機能を少なくとも１台以上設備しオークション販売する事を特徴とする「キャンバス写真とこれを油彩・水彩した作品をオークション販売するビジネスの方法」
【請求項１２】
写真、絵画等（以下、作品という）をオークション販売するギャラリー等において、あらかじめ蓄えられた、各作品のデーター（品番、商品写真、商品説明、現在価格、入札期限等）をインターネットサーバーよりダウンロードし、表示できる「インターネットブラウザー機能を持つ機器を少なくとも１台以上展示場所付近に設置し、その表示部分を展示作品に組み込まないで設置し、少なくとも一つ以上の作品のデーターを常時表示し、更に鑑賞者が入札を希望すれば、入札する作品を選択し、新入札価格、入札者情報等入札データーを入力し送稿できる機能を少なくとも１台以上設備しオークション販売する事を特徴とする「キャンバス写真とこれを油彩・水彩した作品をオークション販売するビジネスの方法」
【発明の詳細な説明】
【技術分野】
【０００１】
ＷＥＢサイトと連携し表示する為に必要なインターネットに関する情報処理技術、及びコンピューターの組込・設計・制御及びその製造技術、基礎入出力プログラム（ＢＩＯＳ）関連技術、サーバーからデーターをダウンロードし制御する為のＣＧＩプログラム作成技術。
【背景技術】
【０００２】
第１に、現在写真を販売する場合には、ディテイルまできれいにプリントした写真を商品として使用します。しかしこの写真プリントを展示し写真展を催し、展示販売などを行った場合、カメラ付きケータイ電話等で簡単にコピー撮影され、その精細さがゆえに、著作権が犯されるリスクがあります。
【０００３】
第２に、この写真をオークション販売する場合において、現在ヤフーの様なインターネットを利用する方式と、サウザビーの様な会場型オークション方式があります。
インターネットオークション方式の場合、インターネット環境があれば、いつでも何処でも入札できるという長所はありますが、オークション対象品そのものを展示する事ができないという欠点があります。
一方会場型オークションの場合、オークション対象品の現物を展示確認できるよう設定できる長所がありますが、インターネット環境があってもいつでも何処からでもは入札できないという欠点があります。
【発明の開示】
【発明が解決しようとする課題】
【０００４】
第１の課題に関しては、展示中の写真をコピー撮影しても、商業利用には無意味なものとし、著作権が犯されるリスクを少しでも軽減する事を課題とする。
【０００５】
第２の課題については、インターネットオークション方式の欠点を補う為に、現物写真を展示するのは物理的に無理があり、本発明では会場型オークション方式について、インターネット入札を併せ行う事ができるよう、第３のオークション販売方式を創造する事を課題とする。
【課題を解決するための手段】
【０００６】
第１の課題を解決する為、本発明では、１）凹凸のあるキャンバスに直接印刷し、２）凹凸のあるキャンバスにロゴをエンボス加工し３）凹凸のあるキャンバスにロゴをある一定の角度をつけエンボス加工する等し、これら加工したキャンバスに直接印刷し、このキャンバスに印刷した写真（以下、キャンバス写真という）をコピー撮影しても、そのキャンバスの凹凸のテクスチャーがある為、商業写真として他に利用するには、クオリティの面で劣るよう工夫する。
【０００７】
第２の課題を解決する為、先ず第１に、オークション会場にオークションする写真を展示し、誰でも写真そのものを確認できるようにする事、第２に当該展示品のデーターを表示するインターネット・ブラウザー機器（パソコン、ケータイ電話、PDA機器等、以下ネットオークション端末という）を併せ設置し、この展示写真を鑑賞しながら、出品者、現在価格等の展示品データーも同時に確認可能とする事、第３に当該展示写真が気に入り応札したいと思った場合即現場から入札できるよう、当該ネットオークション端末に入札用データー（新入札価格、入札者情報等）の入力欄を設け表示された入札ボタンを押すと入札できるよう設備する事、第４に、各展示作品にユニークなID又はURLもしくは両方の名前をつけ、これを入力すれば、何時でも何処でもその商品データーを呼び出し表示し、現在価格を確認し入札できるよう設備する事、以上により解決する。
【発明の効果】
【０００８】
キャンバス写真は、上記の手段１）〜３）のいずれかを選択する事により、コピー撮影の防止度合いを変化させる事ができる為、本来の目的である著作権の確保に役立つのである。しかも、キャンバスは元来、油絵の画材である事から、キャンバス写真の上から簡単に着色する事が可能であり、デッサン力が劣る人であっても自らの感性で油彩水彩着色し世界に２つとないキャンバス写真絵画を、キャンバス写真から作成する事ができるのである。
【０００９】
特に、老人の脳梗塞等のリハビリに絵画を描く事が効果絶大であると臨床学的に証明されており、一から絵画を描くのはちょっと億劫に感じている人でも写真の上から着色する事から始められ簡単なので、誰でも脱落する事なくリハビリの実効をあげる事ができるのである。
【００１０】
このキャンバス写真絵画は世界に２つとない作品である事から、オークション販売に最適な商品であり、このキャンバス写真絵画を１点とネットオークション端末を設置するスペースさえあれば、いかなる場所でも（例え個人宅であっても）、このオークション・ギャラリーとして、オークション販売する事ができるのである。勿論、このオークションギャラリーは、いかなる商品にでも対応できる事はいうまでもない。
【発明を実施するための最良の形態】
【００１１】
図１は、キャンバスにエンボスが可能な様に厚めのマット紙を裏打ちしたキャンバス写真プリント用紙の断面図である。このキャンバス写真プリント用紙に、直接写真をプリントしキャンバス写真を制作する。この様にして制作したキャンバス写真は、キャンバスのテクスチャーが程良くブレンドし油絵風写真として十分鑑賞に堪えると同時に、コピー撮影された場合、そのコピー写真は、商業的に使用できないクオリティとなり、著作権を侵されるリスクが軽減できるのである。
【００１２】
図２は、キャンバス写真に着色したキャンバス写真絵画を展示し、その直下にネット・オークション端末（ケータイ電話で代用）を設置したオークションギャラリー風景である。図３はそのネットオークション端末に表示されている初期待ち受け画面である。展示会場に来場した観客は、この展示されたキャンバス写真絵画とネットオークション端末の初期待ち受け画面に表示された現在価格を確認しながら気にいれば、入札期限をチェックし、期限内であれば、新入札価格欄に新価格を記入するか、あらかじめ便宜上（記入の手間を省き入札しやすくするため）セットされた１０％アップの価格を容認し、自分のメール・アドレスを入力し、入札ボタンを押し入札する事ができるのである。
【００１３】
この入札データーを送稿すると、図４の画面が表示され入札が受け付けられた事、及びその入札登録IDが表示され、インターネットサーバー上で、当該キャンバス写真絵画用のデーターベースに登録された事及び登録IDとして表示され、更に、その新データーがあらかじめ定められた時間内に、ネットオークション端末に自動的にダウンロードされ、現在価格欄に反映されるのである。
【００１４】
この展示作品の現状は、インターネット環境さえあれば、この作品に割り当てられたID/URLを入力する事で、何時でも何処からでもパソコン、ケータイ電話などから確認し、オークションギャラリー会場と同様の入札ができるのである。又オークションギャラリーに独自のURLを与え、そのギャラリーの展示作品のIDを入力し同様の結果が得られるよう設備できる事はいうまでもない。
さらに、このオークション・ギャラリーシステムでは、入札期限が到来すれば、最高価格で落札した人の電子メール宛落札通知が自動的に発せられ、取引に進むのである。
【図面の簡単な説明】
【００１５】
【図１】キャンバスにマット紙を裏打ちしたキャンバス写真プリント用紙断面図
【図２】オークションギャラリー風景
【図３】ネットオークション端末に表示された待ち受け画面
【図４】入札が登録された事を表示する画面
【符号の説明】
【００１６】
１  キャンバス画材
２    マット紙
３    キャンバス写真
４    フレーム
５    鑑定書
６    キャンバス写真絵画
７    インターネットブラウザー機能を持つ機器及びその表示装置（ケータイ電話）ネットオークション端末
８    インターネットブラウザー機能を持つ機器及びその表示装置（PDA）ネットオークション端末
９    大型ディスプレイ用ネットオークション端末（パソコン）
１０    フィルム型表示装置
１１    大型ディスプレイ端末
１２    タイトル及び全展示品繰返表示装置
１３    ネットオークション待受初期画面を複数表示した状態
【図１】
2007316816.tif 000003
【図２】
2007316816.tif 000004
【図３】
2007316816.tif 000005
【図４】
2007316816.tif 000006